(57)【要約】【課題】顔面の鼻口部への密着性、粉塵等の捕集効率が良く、吸気抵抗が小さい衛生マスクを提供する。【解決手段】顔面の鼻口部を覆うよう装着される外側のマスク本体１と、マスク本体１の内側に配されて鼻口部に密着する内側マスク２と、マスク本体１の左右端から後方に延びる耳掛け３とを有する。マスク本体１は、前面の左右中央において前方に突曲するよう立体形状に造形されている。マスク本体１の左右側面に内側マスク２の左右端のみが両持ち状態で接続されており、マスク本体１と内側マスク２との間に隙間Ｇが形成されている。【選択図】　　　　図１
2004049356.tif 000002
【特許請求の範囲】
【請求項１】
顔面の鼻口部を覆うよう装着される外側のマスク本体１と、マスク本体１の内側に配されて少なくとも外鼻に密着する内側マスク２とを有し、
マスク本体１が、前面の左右中央において前方に突曲するよう立体形状に造形されており、
マスク本体１に対して内側マスク２は、隙間Ｇが介在する状態で取り付けられていることを特徴とする衛生マスク。
【請求項２】
内側マスク２が、保温機能を有する請求項１記載の衛生マスク。
【請求項３】
内側マスク２が、マイナスイオン発生機能を有する請求項１記載の衛生マスク。
【請求項４】
マスク本体１の左右の側面部分に、内側マスク２の左右端部が両持ちの宙吊り状態で接続されている請求項１記載の衛生マスク。
【請求項５】
マスク本体１または内側マスク２の左右に、耳掛け３を備えている請求項４記載の衛生マスク。
【請求項６】
耳掛け３を備えていて、顔面の鼻口部を覆うよう装着される外側のマスク本体１と、マスク本体１の内側に分離可能に配される内側マスク２とを有し、
マスク本体１および内側マスク２が、前面の左右中央において前方に突曲するよう立体形状に造形されており、
装着者の顔面に内側マスク２およびマスク本体１を装着した状態において、マスク本体１は内側マスク２との間に隙間Ｇが介在する状態で内側マスク２をこれが装着者の少なくとも外鼻に密着するよう押え付けていることを特徴とする衛生マスク。
【請求項７】
内側マスク２の左右方向中央の外側には、内側マスク２の左半部２ａと右半部２ｂとをつなぐ接合部６が上下間にわたって突曲状に形成されており、
マスク本体１の左右方向中央の内側が内側マスク２の接合部６の突端縁に接触することにより、マスク本体１と内側マスク２との間には、前面側に前記隙間Ｇが生じるようにした請求項６記載の衛生マスク。
【請求項８】
内側マスク２が、外鼻から口部までを覆う大きさを有する請求項１又は６記載の衛生マスク。
【発明の詳細な説明】
【０００１】
【発明の属する技術分野】
本発明は、顔面の鼻口部を覆うように装着される衛生マスクに関する。
【０００２】
【従来の技術】
人体の鼻における鼻腔は、本来ここに入って通る吸気に適当な温度と湿気とを与えるために存在する。衛生マスクは、かかる鼻腔の作用を補い、鼻腔などの敏感な粘膜への刺激をやわらげて空気を肺に送り込む手助けとなる。
【０００３】
その際、外鼻および／またはその周りを覆って保温または加温すると、アレルギー性鼻炎や花粉症のクシャミなどの諸症状を緩和できることが、例えば特許第２５０７８５９号公報、特許第２７５３１９３号公報、特許第２８２５７５８号公報などに開示されている。
【０００４】
一方、衛生マスクにおいて、これの鼻口部を覆うマスク本体部分を内外二層構造にすることは、特開平７−２７５３８４号公報、特開平９−１４９９４６号公報などに公知である。
【０００５】
【発明が解決しようとする課題】
しかし、マスク本体部分を内外二層構造とした従来の衛生マスクは、外層と内層とを構成するマスク生地どうしが密着状に接合一体化されている。その限りにおいて通常の衛生マスクの内側にガーゼの類を重ね合わせて使用することと大差はない。
【０００６】
すなわち、衛生マスクは、粉塵や花粉の捕集性、せきやクシャミの際のたんやつばの飛沫防止性を確保したうえで、談話が支障なく行えるようにすることが望まれる。このうち捕集性と飛沫防止性とは、ひとつに鼻口部への密着性を図ることで向上できるが、密着性の向上は談話性の弊害につながる。
【０００７】
そこで本発明の目的は、花粉や粉塵などの微粒子が鼻腔に侵入することをよく防止できる衛生マスクを得るにある。ひいては、アレルギー性鼻炎や花粉症の諸症状などを予防し、緩和するのに有利な衛生マスクを提供することにある。
【０００８】
本発明の目的は、外鼻への密着性および保温性に優れ、談話（おしゃべり）性も確保された衛生マスクを得るにある。
【０００９】
【課題を解決するための手段】
請求項１記載の本発明に係る衛生マスクは、顔面の鼻口部を覆うよう装着される外側のマスク本体１と、マスク本体１の内側に配されて少なくとも外鼻に密着する保温用の内側マスク２とを有し、マスク本体１が、前面の左右中央において前方に突曲するよう立体形状に造形されており、マスク本体１に対して内側マスク２は、隙間Ｇが介在する状態で取り付けられていることを特徴とする。
【００１０】
更に具体的に説明すると、請求項２記載の本発明に係る衛生マスクでは、内側マスク２が保温機能を有する。その内側マスク２は、織布、不織布、編布などの布帛を用いることができ、ガーゼや絹織物など素材的に保温性を有するものでも足る。積極的に保温機能を付与するについては、内側マスク２を形成する布帛に公知の遠赤外線放射物質を含ませたり、酸化発熱体を含ませて加温すればよい。内側マスク２の外表面にアルミ箔や真空蒸着金属膜を積層して、外部に体温の熱が放散しない形態であってもよい。
【００１１】
請求項３記載の本発明に係る衛生マスクでは、内側マスク２がマイナスイオン発生機能を有する。その際、同時に先の保温機能を発揮するようにしてもよく、例えばトルマリン粉末を含む合成樹脂繊維製の不織布で内側マスクがつくられていると、体温などの外部加熱で加温用の遠赤外線が放射されるとともに、人体に有用なマイナスイオンが生成される。遠赤外線物質を含む布帛に水を含浸させておくと、水の蒸発に伴い、マイナスイオンが発生する。中でも、電気分解アルカリイオン水（ｐＨが１１〜１３）は、積極的にマイナスイオンを生成して人体には無害であり、用いて好適である。電気分解アルカリイオン水の場合は、不織布などの内側マスク形成材に含浸させておくだけでもよい。
【００１２】
マスク本体１と内側マスク２との間に隙間Ｇを形成する具体的手段として、請求項４記載の本発明に係る衛生マスクでは、マスク本体１の左右の側面部分に、内側マスク２の左右端部が両持ちの宙吊り状態で接続されている。その際のマスク本体１と内側マスク２との接続は、それぞれの形成素材によって加熱下で溶融接着してもよいし、接着剤で一体化しても縫着してもよい。多くの場合、マスク本体１に対して内側マスク２はこれの左右端部のみが接続されていることを予測しているが、他の部位においてもマスク本体が紐の類で吊り掛けられていてもよい。
【００１３】
請求項５記載の本発明係る衛生マスクは、マスク本体１または内側マスク２の左右に耳掛け３を備えていている。この耳掛け３はマスク本体１や内側マスク２とは別部材でつくり、後付けする形態も含む。
【００１４】
また、請求項６記載の本発明に係る衛生マスクは、耳掛け３を備えていて、顔面の鼻口部を覆うよう装着される外側のマスク本体１と、マスク本体１の内側に分離可能に配される内側マスク２とを有し、マスク本体１および内側マスク２が、前面の左右中央において前方に突曲するよう立体形状に造形されており、装着者の顔面に内側マスク２およびマスク本体１を装着した状態において、マスク本体１は内側マスク２との間に隙間Ｇが介在する状態で内側マスク２をこれが装着者の少なくとも外鼻に密着するよう押え付けていることを特徴とする。
【００１５】
請求項７記載の本発明は、請求項６記載の衛生マスクにおいて、内側マスク２の左右方向中央の外側に、内側マスク２の左半部２ａと右半部２ｂとをつなぐ接合部６が上下間にわたって突曲状に形成されており、マスク本体１の左右方向中央の内側が内側マスク２の接合部６の突端縁に接触することにより、マスク本体１と内側マスク２との間には、前面側に前記隙間Ｇが生じるようになっている。ここにおいて、前記接合部６はこれの上下間にわたってマスク本体１の内面に接触する必要はなく、少なくとも該接合部６の上方部分がマスク本体１に接触して、内側マスク２が外鼻表面に密着するようにしたものであればよい。
【００１６】
請求項８記載の本発明は、請求項１又は６記載の衛生マスクにおいて、内側マスク２が、外鼻から口部までを覆う大きさを有し、以て口部および鼻腔の前鼻孔まですっぽりと覆うようになっている。
【００１７】
【発明の作用効果】
請求項１記載の本発明の衛生マスクによれば、マスク本体１に内側マスク２が隙間Ｇを介して取り付けられているので、顔面に装着したとき、内側マスク２が少なくとも外鼻の表面に先当たり状態で密着し、その外側をマスク本体１がカバーした体裁の良いものとなる。その際、内側マスク２は、旧来マスクの内側に配したガーゼと同様の働きをし、外鼻に密着することで鼻まわりを温めて吸気を加温し、マスク本体１と相まって吸気を加湿する。
【００１８】
従って、アレルギー性鼻炎や花粉症などの予防、緩和に有利である。マスク本体１に内側マスク２が一体的に取り付けられているので、内側マスク２がズレ動くこともない。しかも、二重構造でありながら、前記隙間Ｇが介在しているので、通気抵抗を小さくできる。
【００１９】
そのうえで、マスク本体１は鼻口部とくに口部を密着状に押さ付けないので、装着時の口の動きに不自由はなく、支障なく会話をすることができる。
【００２０】
請求項２記載の本発明によれば、内側マスク２が保温機能を有するので、装着時の鼻まわりの加温性が更に有効なものとなる。
【００２１】
請求項３記載の本発明によれば、内側マスク２がマイナスイオン発生機能を有するので、人体に有用なマイナスイオンを鼻まわりに接触状態でダイレクトに作用させることができる。
【００２２】
請求項４記載の本発明によれば、マスク本体１の左右の側面部分に内側マスク２の左右端部が両持ち状態で接続された取り付け形態であり、これによって内側マスク２がマスク本体１の内側で宙吊り状態にある。従って、装着時におけ内側マスク２のズレ動きは、マスク本体１の左右側面部分で内側マスク２を顔面に押し当てることにより確実に防止でき、そのうえでマスク本体１と内側マスク２との間に前記隙間Ｇを所望通り確保することができる。
【００２３】
請求項５記載の本発明によれば、請求項４記載の衛生マスクにおいて、マスク本体１ひいては内側マスク２を耳掛け３で装着者の顔面に確りと位置ズレなく装着することができる。
【００２４】
請求項６記載の発明によれば、請求項１記載の衛生マスクと同様の作用効果を奏する。但し、マスク本体１に対して内側マスク２が分離可能になってはいるが、両者１・２は前面の左右中央において前方に突曲するよう立体形状に形成されているので、衛生マスクを顔面に装着したとき、内側マスク２はマクス本体１でズレ動くことなく顔面の少なくとも外鼻に密着するよう位置決め保持できる。
【００２５】
請求項７記載の発明によれば、内側マスク２の左右方向中央の外側に形成された接合部６が、内側マスク２に自己保形性を付与することに貢献し、装着時に内側マスク２が鼻腔の前鼻孔や口部に密着しないよう働く。これにより衛生マスクには通気性と談話性とが確保される。同時に、衛生マスクを装着したとき、マスク本体１の左右方向中央の内面側が内側マスク２の前記接合部６の突端縁に接触することにより、該接合部６の前方外側への突出量分だけ、マスク本体１と内側マスク２との間には前面側において隙間Ｇが確実に形成されることになる。
【００２６】
請求項８記載の本発明によれば、内側マスク２が外鼻から口部まで覆う大きさになっているので、鼻腔での吸気および口部からの吸気に際し、マスク本体１と相まって粉塵や花粉などの捕集性に優れる。
【００２７】
【発明の実施の態様】
（実施例１）　図１ないし図３は本発明に係る使い捨ての衛生マスクの実施例１を示しており、外側のマスク本体１と、これの内側に配される内側マスク２と、耳掛け３とからなる。
【００２８】
マスク本体１は、図１に示すごとく前面の左右方向中央部が前方に向かって張り出すように突曲する立体形状に造形されている。すなわちマスク本体１は、熱可塑性の合成樹脂繊維からなる不織布シートで裁断形成されるが、マスク本体１の左右対称形をなす左半部１ａと右半部１ｂとを構成する不織布シートを二枚重ねにし、左右方向中央において左半部１ａと右半部１ｂとの接合部４を一体に熱溶着し、その接合部４が前方外側へ上下間にわたって突出形成されたものとなっている。
【００２９】
マスク本体１の左右端には、耳掛け３・３が一体に後方へ延出するよう裁断形成されている。各耳掛け３の孔５は型で抜き加工してもよいし、当出願人の出願に係る特開２０００−２４５９９９号公報に示すとおり切目を入れておき、引き裂くことで形成されるようにしてもよい。
【００３０】
内側マスク２は、図２に示すごとくマスク本体１と同じ要領で前面の左右方向中央部が前方に向かって張り出すように突曲する立体形状に造形されている。すなわち内側マスク２は、熱可塑性の合成樹脂繊維からなる不織布シートで裁断形成されるが、内側マスク２の左右対称形をなす左半部２ａと右半部２ｂとを構成する不織布シートを二枚重ねにし、左右方向中央において左半部２ａと右半部２ｂとの接合部６を一体に熱溶着し、その接合部６が前方外側へ上下間にわたって突出形成されたものとなっている。
【００３１】
マスク本体１および内側マスク２は、それぞれ顔面の鼻口部（外鼻と口部）を覆う大きさを有し、マスク本体１に対して内側マスク２が隙間Ｇを介して不離一体に取り付けられている。すなわち、マスク本体１の左右の側面部分に、内側マスク２の左右端部が縦方向にわたって両持ち状態で熱溶着されている。符号７がその熱溶着された接続部を示す。従って、内側マスク２は、マスク本体１に対して左右端部のみが接続された宙吊り状態にあり、マスク本体１と内側マスク２との間には、とくに前面側部分において隙間Ｇが大きく生じている。
【００３２】
上記構成の衛生マスクの使用に際しては、図３に示すごとく両耳掛け３・３を装着者の耳に掛けて常法通り装着すると、内側マスク２が外鼻の表面から口部にかけての顔面部分を先当たり状態で覆い、内側マスク２の外側がマスク本体１で覆われる。そのとき、マスク本体１の左右側面部分は鼻口部の左右の顔面部分にフィットして内側マスク２を含む全体のズレ動きを規制するが、前記隙間Ｇの介在によりマスク本体１の前面中央部分は、内側マスク２の前面中央部分に軽く接触ないし近接対向する状態に置かれている。
【００３３】
従って、装着者の鼻口部が内外二重構造で覆われていても、通気（吸気）抵抗が小さく、顔面の特に外鼻表面への密着性は内側マスク２で図られ、顔面への位置決めはマスク本体１で図られる。内外二重構造になっている分だけ、粉塵や花粉などの捕集効率が良い。顔面への位置決めを図るマスク本体１は、肝心の鼻口部においてせいぜい内側マスク２に軽く接するだけなので、口を動かすのに何不自由なく談話性にも優れている。
【００３４】
衛生マスクの本来の機能、すなわち吸気の加温と加湿とは、主に内側マスク２で良好に確保される。とくに内側マスク２の上方部分が外鼻の表面に密着しているので、装着者の鼻まわりの加温性に優れ、アレルギー性鼻炎の予防、緩和用に有利である。
【００３５】
（実施例２）　図４および図５は発明に係る衛生マスクの実施例２を示しており、この場合の内側マスク２は、マスク本体１よりも大幅に上下幅寸法を小さくして、内側マスク２が顔面の外鼻とその左右部分にのみ密着し、鼻腔の前鼻孔および口部までは覆わない形態になっている。その他の構成は実施例１と実質的に同じであるから、同一部材には同一符号を付して説明を省略する。この実施例２では、粉塵類の捕集効率は落ちるが、吸気抵抗は良くなる。これにおいても、鼻まわりを加温するので、アレルギー性鼻炎などの予防、緩和に有利である。
【００３６】
（実施例３）　図６ないし図８は本発明に係る衛生マスクの実施例３を示す。この実施例３では、マスク本体１と内側マスク２とを分離可能にした点が、先の実施例１、２と根本的に相違する。すなわち、左右端に耳掛け３・３を有するマスク本体１と、内側マスク２とは、実施例１と同様にしてつくる。但し、内側マスク２はマスク本体１よりも厚手の不織布シートでつくるなどして自己保形性を有するものにした。
【００３７】
これが使用に際しては、装着者の顔面の鼻口部まわりに、内側マスク２ついでその外側にマスク本体１を当てがい、耳掛け３・３を装着者の両耳にそれぞれ掛け止めて、マスク本体１を内側マスク２ごと顔面に装着する。マスク本体１の内側に内側マスク２を入れた状態で鼻口部まわりに当てがってもよい。
【００３８】
先の装着状態において、内側マスク２の左右端部は顔面の鼻口部まわりの左右にマスク本体１の左右側面部で押え付けられ、マスク本体１の左右方向中央の内面側が内側マスク２の前記接合部６の突端縁に接触して内側マスク２の左右方向中央部を顔面側へ押し付ける。これで内側マスク２の上方部分が、図７に示すごとく出っ張った外鼻の表面に密着する。内側マスク２の下部も、顔面の口部の下方部分（あご部）に密着するであろう。これで内側マスク２は、マスク本体１によって顔面の所定部位に位置決め保持される。内側マスク２は前記接合部６で自己保形性が更に確保されているので、これが鼻腔の前鼻孔や口部を密着状に塞ぐことはなく、粉塵の補集性を確保したうえで、通気性や談話性を阻害することはないものとなる。
【００３９】
（具体例１）　内側マスク２の上下長さ寸法はマスク本体１のそれよりも僅かに小さく設定する。そのうえで内側マスク２は、図１ないし図３に示すごとく合成樹脂繊維にトルマリン微粉末を含有する不織布シートでつくり、内側マスク２にｐＨ１２〜１３の電気分解アルカリイオン水を含浸させた。この電気分解アルカリイオン水は、強アルカリ性を有するが、頭皮用として既に開発されており、人体に無害であることが確認されている。
【００４０】
内側マスク２に対する電気分解アルカリイオン水の含浸は、小容器に該イオン水を入れておき、使用時に小容器から取り出して内側マスク２に滴下することで含浸させることができる。または、予め内側マスク２に先の電気分解アルカリイオン水を含浸させておき、これがマスク本体１側に移行しないようマスク本体１と内側マスク２との間にセパレータの類を介装し、全体を包装フィルムで密封して該イオン水の蒸散を防止する形態にしてもよい。
【００４１】
具体例１の衛生マスクによれば、これを装着したとき、体温でトルマリン粉末から遠赤外線が放射されるとともにマイナスイオンが発生し、電気分解アルカリイオン水の蒸発がマイナスイオンの発生を更に高めるものになる。
【００４２】
（具体例２）　内側マスク２をガーゼでつくり、これの左右端部をマスク本体１の左右の側面部分に両持ち状態で縫い付け、この内側マスク２に具体例１と同様にしてｐＨ１２〜１３の電気分解アルカリイオン水を含浸させた。この具体例２の衛生マスクによれば、電気分解アルカリイオン水の蒸発でマイナスイオンが発生する。
【００４３】
（具体例３）　内側マスク２の外表面に放熱防止層を形成した。その放熱防止層としては、内側マスク２にラミネートされるアルミ箔や、内側マスク２に真空蒸着される各種金属の蒸着膜がある。この具体例３に係る衛生マスクによれば、体温で加温された内側マスク２が外部に放熱されることがないので、鼻まわりの加温性に優れたものとなる。
【００４４】
（具体例４）　具体例３の内側マスク２に、これの内面側からｐＨ１２〜１３の電気分解アルカリイオン水を具体例１と同様に含浸させ、着用時にマイナスイオンが発生するようにした。
【００４５】
（具体例５）　内側マスク２は、絹繊維を含む不織布シートで基本的に先の図２の形状につくった。但し、そこでの接合部６は縫い付けることにより形成し、内側マスク２を縫着仕上げにした。これによれば絹繊維が持つ通気性と保温性が有効に発揮されるものとなる。
【００４６】
（その他の実施態様）　耳掛け３は、紐状にしてマスク本体１につながる形態でもよい。もちろん、紐状の耳掛け３は、図５に示すごとく内側マスク２の左右端から後方に延出する形態でもよい。
【００４７】
その他、使い捨ての衛生マスクにおいては、マスク本体１および耳掛け３は紙製でもよい。
【図面の簡単な説明】
【図１】実施例１の全体の斜視図
【図２】実施例１の内側マスクの斜視図
【図３】実施例１の衛生マスクの装着状態での縦断側面図
【図４】実施例２の衛生マスクの斜視図
【図５】実施例２の内側マスクを示す斜視図
【図６】実施例３の衛生マスクの斜視図
【図７】実施例３の衛生マスクの装着状態での縦断側面図
【図８】実施例３の衛生マスクの装着状態での横断平面図
【符号の説明】
１　マスク本体
２　内側マスク
３　耳掛け
４　マスク本体の接合部
６　内側マスクの接合部
７　接続部
Ｇ　隙間
【図１】
2004049356.tif 000003
【図２】
2004049356.tif 000004
【図３】
2004049356.tif 000005
【図４】
2004049356.tif 000006
【図５】
2004049356.tif 000007
【図６】
2004049356.tif 000008
【図７】
2004049356.tif 000009
【図８】
2004049356.tif 000010